(57)【特許請求の範囲】
【請求項１】
基本モジュールをタンク形状とし、この基本モジュール複数個を組み合わせコネクターで結合するようにし、前記基本モジュールは縦長立方形タンクとし、上部は縦長立方形で下部は角錐状に絞られているものを有すると共に、システムフローの変更に際しては基本モジュールを入れ替えたり基本モジュールの開口部の接続方向を変えることにより行い、基本モジュールの増設や差し替えでいろいろな用途や処理量に対応でき各種のプロセスに用いられるようにした多目的モジュールタンクを具備することを特徴とする排水・汚水その他の処理対象液の処理装置。
【発明の詳細な説明】
【０００１】
【発明の属する技術分野】
この発明は、化学装置、浄水・排水処理装置などのプロセスやその他一般産業に利用できる多目的モジュールタンクに関するものである。
【０００２】
【従来の技術】
従来、化学装置、浄水・排水処理装置などのプロセスに於いてはそれぞれの目的に応じて形状やサイズの異なるいろいろな種類の処理槽やタンクが用いられ、これらの間を配管でつないでいる。
【０００３】
しかし、処理槽やタンクの間を配管でつなぐためにはかなり広いスペースが、また処理槽やタンクの大きさや形状が異なることによっても余分な空間容積が必要になる。
【０００４】
したがって、処理量や処理方式を変更するときにそのプロセスを簡単に改造して対応することができないという問題があった。
【０００５】
【発明が解決しようとする課題】
そこでこの発明は、処理量や処理方式を変更するときにそのプロセスに従来より簡単に対応することができる多目的モジュールタンクを提供しようとするものである。
【０００６】
【課題を解決するための手段】
前記課題を解決するためこの発明では次のような技術的手段を講じている。
▲１▼  この発明の多目的モジュールタンクは、基本モジュールをタンク形状とし、この基本モジュール複数個を組み合わせコネクターで結合するようにしたことを特徴とする。
【０００７】
タンク形状とした基本モジュールを組み合わせコネクターで結合することにより、基本モジュールの増設や差し替えでいろいろな用途や処理量に対応できる。したがって、処理量や処理方式を変更するときにそのプロセスに従来より簡単に対応することができる。
▲２▼  前記基本モジュールを縦長立方形タンクとし、上部は縦長立方形で下部は角錐状に絞られていることとしてもよい。
【０００８】
浄化処理や化学反応での結晶析出などの分離作業で、その上澄み部分を他のタンクに移すときには縦長立方形タンクの上部に開口をとり、下方の濃縮部分の移動は角錐状に絞られた下部に開口をとることにより、特別に配管をすることなく内容物を簡単確実に他のタンクへ移動することができる。
▲３▼  前記タンク側面に隣の基本モジュールと内容物が流通するための開口部とそのコネクターが付帯することとしてもよい。このように構成すると、隣の基本モジュールとのコネクターの開口部を介して内容物を流通させることにより全体をコンパクトに形成することができる。
【０００９】
従って余分なタンクスペースや特別な配管工事の必要がなく、コンパクトで簡易にシステム設計と設置を行うことができる。なお配管等で内容液を流通させるためには、配管のスペースだけでなく配管工事のための作業スペースも必要となる。
【００１０】
システムフローの変更に際しては、基本モジュールを入れ替えたり基本モジュールの開口部の接続方向を変えることにより容易に行うことができる。
▲４▼  前記コネクターとして、隣接する基本モジュールの開口に対応するパッキンとフランジ又はグロメット式パッキンで開口部を連結することとしてもよい。
【００１１】
このようにして開口部を連結すると、タンク同士が相い接しているので余分なスペースが必要ない。
▲５▼  タンク上面に円形や角型のマンホール、下端にソケットやフランジを設けることができ、上部の蓋（マンホール）をモジュール化することもできる。
【００１２】
このようにすると、下部のソケットやフランジにより、底部の液体を任意に取り出したり全量きれいに抜き取ったりすることができる。
【００１３】
また攪拌機取り付け用の蓋や内部点検孔、照明用の投光器の取付口、フロート、温度計などの計装取付口などを標準化しておくと、モジュール・タンクの機能を簡単に付加したり変更したりすることができる。
▲６▼  基本モジュールを平面視で長方形好ましくは正方形に形成し、前後左右にタンクを相い接して連結すると、四方に任意に開口部を形成してコネクターで接続することができる。
▲７▼  前記基本モジュールを、ポリエチレン粉末又は／及び塩化ビニール樹脂ペーストの回転成形加工又はブロー成型加工による成形品としてもよい。
【００１４】
このように構成すると安く大量に生産できる。またポリエチレン粉末や塩化ビニール樹脂ペーストはリサイクル品を利用することができる。
【００１５】
【発明の実施の形態】
以下、この発明の実施の形態を図面を参照して説明する。
【００１６】
図１乃至図５に示すように、この実施形態の組み合わせ式多目的モジュールタンク１（システムタンク）は、配管での接続部分を極力少なくし、コネクター２で直接結合し組み合わせることによって、狭いスペースにコンパクトに設置するだけでなく、基本モジュール３の増設や差し替えでいろいろな用途や処理量に対応でき各種のプロセスに用いられるようにしている。
【００１７】
基本モジュール３は、プラスチックの回転成型加工やブロー成型加工によって一定形状・サイズの縦長立方形タンクとしており、安く大量に生産することができる。回転成形によるタンクの成型には、ポリエチレン粉末や塩化ビニール樹脂ペーストを用いることができる。これらの樹脂は、リサイクル品を利用できるという利点がある。
【００１８】
図２に示すように、縦長立方形タンクとした基本モジュール３は、上部は縦長立方形で下部は角錐状に絞っている。縦長立方形の上部のサイズは４５０×４５０×１１０５ｍｍ、角錐状に絞られた下部の高さは３００ｍｍであって容積は１８０Ｌとしている。基本モジュール３の大きさはこれより大きくも小さくも任意に選択することができる。
【００１９】
幾つかの基本モジュール３を前後左右に相い接して配列結合するためには、基本モジュール３の平面視（上から見た）の形状は正方形が便利であるが、長方形の基本モジュール（図示せず）があってもよい。長方形の基本モジュールを設ける場合には、その一辺の長さを基準の正方形の基本モジュール３の一辺の長さの整数倍に設定すると、正方形のものと長方形のものを前後左右に連結した際に基本モジュール相互の寸法が整合して扱い易いという利点がある。
【００２０】
タンクには用途によって上面に円形又は角型のマンホール、下端にソケット又はフランジ、側面に隣のタンクと内容物が流通するための開口部とそのコネクター２を付帯せしめることにより、効果的に多目的のモジュールタンク１とすることができる。
【００２１】
基本モジュール１個では、化学装置（晶析、吸収、抽出装置、薬液タンク等）、浄水・排水処理装置などのタンクとして用いることができる。図２は、基本モジュール３の縦長立方形タンクにアジター４を取り付けて攪拌槽として利用する例であって、薬液槽やばっ気槽などに広く利用できる。その他、オイルスキマー槽、脱塩素処理槽、凝集沈殿槽、脱臭槽、脱窒素処理槽、汚泥濃縮槽、加圧浮上槽、負圧式カートリッジ濾過槽、砂濾過槽（上向流方式）、活性炭濾過槽（上向流方式）など（図示せず）に利用することができる。
【００２２】
図１の多目的モジュールタンク１は、基本モジュール３個を連結した原水または原液の受入調整ユニットである。
【００２３】
第１槽Ｉの基本モジュール３は原水または原液の受入槽であり、固形物や汚泥の沈降物がある時には底部のバルブ５を開けて抜き出す。上澄みは上部に開けられた貫通部分のコネクター２から隣の第２槽IIの基本モジュール３に流れ込む。第２槽IIでも固形物や汚泥を沈降分離した後、上澄みは上部に開けられた貫通部分のコネクター２から隣の第３槽III の基本モジュール３に流れ込み、清澄処理水または清澄処理液は底部のバルブ５から排出される。
【００２４】
ここで図３に示すように、基本モジュール３の隣接するタンクの開口部を連結するコネクター２は、相い接するタンクの側壁の開口部と内径が同じパッキン６を２つのタンクで挟み、それぞれのタンクの内側の一対のフランジ７をボルト８・ナット９で締め付けて結合している。なお２つのタンクの側壁の開口部と内径が同じのグロメット式パッキンを用い、前記パッキンで隣接するタンクの側壁を挟み込むようにして結合し、両タンクの外側から脚が長いステートボルト・ナットで締め付けて連結することもできる（図示せず）。
【００２５】
【実施例】
次に、この発明の構成をより具体的に説明する。
（実施例１）
図４の多目的モジュールタンク１は、基本モジュール３個を連結したガソリンスタンドの洗車廃水リサイクル装置である。
【００２６】
従来ガソリンスタンドでは、油水分離槽でグリースや油を分離してからそのまま排水している。ところがこのほど環境庁の中央環境審議会水質部会がまとめた答申では、１年後をめどに水質基準を強化することが決められている。特に、下水施設のない市外のガソリンスタンドの洗車廃水の放流規制はさらに厳しくなる。またガソリンスタンドの競争激化に伴う洗車サービスのコストダウンと水の再利用のため、洗車廃水リサイクル装置が必要となってきた。洗車廃水には洗剤・シリコンエマルジョン・油が多く含まれ、生物処理など普通の方法での浄化は困難である。この実施例では、凝集剤による凝集分離と電気分解による酸化分解反応とで浄化する方法をとっている。
【００２７】
図４に示すように、洗車機から排出され、３槽の油水分離槽を経て凝集剤をラインミキサーで混合された洗車廃水は、第１槽Ｉの基本モジュール３で凝集分離される。そして、その上澄み水は第２槽IIの基本モジュール３に移動する。第２槽IIの基本モジュール３に送られた上澄み水は電解反応装置10との間の循環経路で電気分解により反応を受け、その中に含まれる有機物などの汚れ成分は酸化分解反応により浄化される。その後、第３槽III の基本モジュール３で最終的な沈降分離を行う。
【００２８】
この上澄み水はサービスタンク11に入り、リサイクル利用される。これらの処理によって発生した沈降汚泥は、汚泥濾過乾燥装置12で乾燥汚泥として排出されてくる。
【００２９】
この洗車排水リサイクル装置のタンク部分と汚泥濾過乾燥装置12と制御部との全体は、高さ１８３cm、幅１９７cm、奥行き４５cmで大きな本箱程度のものであり、狭いガソリンスタンドにも簡単に設置することができる。
（実施例２）
図５の多目的モジュールタンク１は、トイレ排水その他、風呂・洗濯・厨房などの生活排水の処理ができる装置（合併処理装置）である。
【００３０】
なおここでは、基本モジュール３（第１槽Ｉ、第２槽II、第３槽III 、第４槽IV、第５槽Ｖ、第６槽VI、第７槽VII 、第８槽VIII、第９槽IX、第１０槽Ｘ）１０個を連結して移動式トイレハウスを形成している。
【００３１】
トイレ13等から受け入れた排水・汚水その他の処理対象液の処理を安定して行うため、流量調整槽として基本モジュール３のタンクを３槽（第１槽Ｉ〜第３槽III ）使用している。滞留時間も十分にあり、ここでは嫌気的な生物処理が行われる。第１槽Ｉ、第２層IIで生じた沈降汚泥は底から抜き出し、汚泥濾過乾燥装置12で乾燥汚泥する。第３槽III の基本モジュール３の上澄みは、タンク側面のコネクター２から第４槽IVの基本モジュール３に移る。なお底から抜いて第４槽IVに移すこともできる。
【００３２】
第４槽IVの基本モジュール３では、凝集剤（後述の第１０槽Ｘのタンクから供給）が添加されて凝集処理が行われる。引き続く第５槽Ｖの基本モジュール３は、凝集した汚泥の沈降分離槽である。第４槽IVと第５槽Ｖの基本モジュール３の沈降汚泥は底部から抜き出し、連続濾過装置で濾過脱水した後に乾燥・焼却処理を行う。一方第５槽Ｖの上澄みは、タンク側面のコネクター２から第６槽VIの基本モジュール３に移る。
【００３３】
第６槽VIは第７槽VII の基本モジュール３と共に、浄化されたリサイクル水の貯留タンクである。ここでは、まだ残留している有臭成分を除くと共に大腸菌などを殺菌するため、この水を電解反応装置10のあるバイパスに抜き出してタンクとの間で循環処理を行う。第６槽VIと第７槽VII のリサイクル水は電解反応装置10での電解反応により次亜塩素酸が生成して浄化される。そして、リサイクル水中に生成した次亜塩素酸の強い酸化力と殺菌力により、便器・配管の水洗水として消毒・洗浄効果や尿石の除去効果を発揮する。第７槽VII の基本モジュール３の上澄みは、タンク側面のコネクター２から第８槽VIIIの基本モジュール３に移る。
【００３４】
第８槽VIIIと第９槽IXの基本モジュール３は脱臭槽である。第１槽Ｉから第７槽VII までの基本モジュール３の各槽で発生する臭気をここに導いて脱臭する。すなわち、第８槽VIIIと第９槽IXのリサイクル水を電解反応装置10との間で循環させる。そして電解反応によって次亜塩素酸を生成せしめ、この強い酸化力と殺菌力とを有する電解水を第８槽VIIIと第９槽IXのタンク中の臭気に対して霧状に噴霧することにより脱臭する。第１０槽Ｘの基本モジュール３は、凝集剤パック（ポリ塩化アルミを供給する）のタンクである。
【００３５】
なお必要に応じて基本モジュール３を増やして処理能力を大きくすることもできるし、広い会場の多くの場所に分散して配置することができる。
【００３６】
前記からなる多目的モジュールタンク１を、どこにでも移動して使用できるようにコンテナハウスの中に組み込んでいる（図示せず）。臨時の催し会場・野外の各種大会・自衛隊の演習など多くの人が集まりまたは移動するなど、トイレ・臨時の風呂・洗濯・厨房など生活排水の合併処理が必要な場合に大変有用である。排水はリサイクルして水洗水として用い、発生した汚物は乾燥・焼却して減量するか農業用有機肥料に利用することができる。
【００３７】
上記のように多目的モジュールタンク１によると各種の用途や処理量に対応でき、しかも状況の変化にも簡単・迅速に対処でき、狭いスペースにもコンパクトに組み込めて費用も安いという利点がある。
【００３８】
【発明の効果】
この発明は上述のような構成であり、次の効果を有する。
【００３９】
基本モジュールの増設や差し替えでいろいろな用途や処理量に対応できるので、処理量や処理方式を変更するときにそのプロセスに従来より簡単に対応することができる多目的モジュールタンクを提供することができる。
【図面の簡単な説明】
【図１】この発明の多目的モジュールタンクの実施形態を説明する斜視図。
【図２】図１の多目的モジュールタンクの基本モジュールを説明する斜視図。
【図３】図１の多目的モジュールタンクの結合状態を説明する分解図。
【図４】多目的モジュールタンクの実施例１として洗車廃水リサイクル装置のフローシートを示す図。
【図５】多目的モジュールタンクの実施例２として生活排水処理装置（合併処理装置）のシステムフローを示す図。
【符号の説明】
２  コネクター
３  基本モジュール
６  パッキン
７  フランジ
【図１】
0004153122.tif 000002
【図２】
0004153122.tif 000003
【図３】
0004153122.tif 000004
【図４】
0004153122.tif 000005
【図５】
0004153122.tif 000006